(57)【要約】【課題】減容化した格納箱の蓋のし難さを改善する。【解決手段】包装箱100はベルト20を切り取ることで開封される。包装箱100の主要な面である裏面100bの表示に関し、ベルト20を挟んで減容包装箱本体2の部分と蓋体4の部分とに区分されている。減容包装箱本体2の部分は、ベルト20の近傍部分が潰し代であり、この潰し代の分だけ一つのトレーブロック6よりも大きい。減容包装箱本体2の部分には、ルウを使った調理の方法（手順）がイラストで横並びに時系列的に表示32される。蓋体4の部分には、包装箱100の減容化の手順がイラストで横並びに時系列で表示される。【選択図】図3
2015071428.tif 000002
【特許請求の範囲】
【請求項１】
２つに小分け可能な内容物を格納できる直方体の形状を有し且つ周方向に延びる弱化線を切断することにより減容可能な食品包装箱であって、
前記弱化線が前記食品包装箱の長手方向の中心線からオフセットされて、該弱化線で切断することにより形成される２つのハーフ包装箱のうち一方のハーフ包装箱が他方のハーフ包装箱よりも相対的に大きな長さ寸法を有し、
該一方のハーフ包装箱が減容包装箱本体として使用可能であり、
前記他方のハーフ包装箱が前記減容包装箱本体に対する蓋体として使用可能であり、
前記減容包装箱本体に一つの前記小分け可能な内容物を入れたときに、該減容包装箱本体の開口部分において前記内容物から突出する余裕代部分が、これを扁平に押し潰す潰し代として、その長さ寸法が設定され、
前記減容包装箱本体に前記蓋体を嵌装することで、一つの前記小分け可能な内容物を格納する減容包装箱として使用可能であることを特徴とする減容可能な食品包装箱。
【請求項２】
前記食品包装箱の裏面の前記蓋体の部分に前記減容包装箱の作り方が表示されている、請求項１に記載の食品包装箱。
【請求項３】
前記食品包装箱の裏面の前記減容包装箱本体の部分に前記内容物の使い方が表示されている、請求項２に記載の食品包装箱。
【請求項４】
前記弱化線を２本有し、
該２本の弱化線で規定される切り離し可能なベルトを更に有する、請求項１〜３のいずれか一項に記載の食品包装箱。
【請求項５】
前記内容物が、ルウを収容した２つの切り離し可能なトレーブロックを備えたトレーである、請求項４に記載の食品包装箱。
【請求項６】
前記食品包装箱の側面と前面又は裏面との間の折り目からオフセットした位置に前記ベルトの始端が配置されている、請求項４又は５に記載の食品包装箱。
【発明の詳細な説明】
【技術分野】
【０００１】
本発明は減容可能な食品包装箱に関し、より詳しくは、２つの小分け可能な内容物を格納する包装箱に関する。
【背景技術】
【０００２】
例えばカレーやシチューなどの固形ルウは「トレー」と呼ばれる樹脂成型品に収容され、そして後に説明する包装箱に入れた状態で販売される。特許文献１、２は４つの同じ大きさのルウピースに小分け可能なブロックを２つ備えたトレーを開示している。この２つのトレーブロックは切り離し可能である。消費者は、包装箱からトレーを取り出し、そして、トレーから必要とする数のルウピースを取り出して調理に使う。トレーブロックは、１回の調理に用いられる平均的な数のルウピースを収容するように設計される。特許文献１、２は、各トレーブロックが４つの同じ大きさのルウピースを収容するように構成されたトレーを開示しているが、６つのルウピースを収容するように各トレーブロックを構成するトレーも知られており、各トレーブロックに含まれるルウピースの数は任意である。
【０００３】
特許文献３は減容可能な食品包装箱を開示している。具体的には、特許文献３は、第１、第２の２種類の食品包装箱を開示している。第１の食品包装箱は、その長手方向に半分に切り分けることができる。この第１の食品包装箱は２つの同じ大きさのトレーブロックを備えたトレーに対して適用される。第１の食品包装箱は、消費者が、食品包装箱を真っ二つに切り離すことで開封することができる。また、トレーは２つのトレーブロックに切り離すことができる。一つのトレーブロックに収容されているルウピースを使い切り、他のトレーブロックに収容されているルウピースを保存するときには、第１の包装箱を開封することにより作られる２つのハーフ包装箱を使って当該他のトレーブロックを格納する箱を作ることができる。すなわち、一方のハーフ包装箱の中にトレーブロックを挿入し、次いで、この一方のハーフ包装箱に対して他方のハーフ包装箱を嵌装することで減容化した蓋付きの格納箱になる。
【０００４】
第２の食品包装箱は、３つのトレーブロックを備えたトレーに適用される。この第２の包装箱は、その長手方向に３つに均等に分けたときに、２／３の長さの長尺のハーフと、１／３の長さの短尺のハーフとに切り離して開封することができる。消費者がトレーから１つのトレーブロックを切り離して当該トレーブロックのルウを使い切ったときに、残る２つの互いに連続したトレーブロックを、長尺のハーフ包装箱と短尺のハーフ包装箱とで構成される蓋付きの格納箱に格納することができる。すなわち長尺のハーフ包装箱の中に、２つの互いに連続したトレーブロックを挿入し、この長尺のハーフ包装箱に対して短尺のハーフ包装箱を嵌装することで減容化した蓋付きの格納箱になる。
【先行技術文献】
【特許文献】
【０００５】
【特許文献１】特開平６−１０００４０号公報
【特許文献２】特開２０１１−２４６１４１号公報
【特許文献３】特開２００８−２９０７６９号公報
【発明の概要】
【発明が解決しようとする課題】
【０００６】
特許文献３に開示の減容可能な食品包装箱は、消費者が開封し、そしてトレーを切り分けた後も、残るトレーブロックの大きさに適合した包装箱として使用することができる。また、食品包装箱を開封した結果出来る２つのハーフ包装箱を使って、これを残るトレーブロックの格納箱として利用できるため、食品包装箱に記載されている製品名、商品名、賞味期限、材料、添加物、調理方法などの文字やイラストなどは、例えば２つのハーフ包装箱を隣り合わせにすることで元の包装箱と同じ表示状態にすることができる。
【０００７】
しかしながら、特許文献３に開示の食品包装箱は、これを開封した後の２つのハーフ包装箱の一方を蓋として使用する際に、蓋となるハーフ包装箱を嵌装し難いという問題がある。すなわち、特許文献３に開示の食品包装箱は、直方体の包装箱の長手方向中間部分又は１／３の部分に配置され且つ周方向に延びる弱化線を切断することで２つのハーフ包装箱ができ、一方を減容包装箱本体として使用し、他方を蓋として使用することを提案するものであるが、減容包装箱本体として使用するハーフ包装箱の開口部の矩形形状及び面積は、蓋として使用するハーフ包装箱と同じである。このことが、特許文献３が提案する格納箱は蓋をし難いという問題を招いている。
【０００８】
トレーブロックは、典型的な一回の調理に使用する数のルウを収容するように設計されている。特許文献１、２に開示のトレーは、各トレーブロックに４つのルウピースが収容されているが、このトレーは、４つのルウピースの量が、一回の典型的な調理で丁度良い分量となるように設計される。
【０００９】
本発明は、特許文献３に開示の食品包装箱の問題点及び上述したルウを収容したトレーのように小分け可能な内容物が一回の調理に丁度良い分量のルウを収容するように設計されるという実情を鑑みて案出されたものである。
【００１０】
本発明の目的は、特許文献３との対比で言えば、食品包装箱を開封することによって出来る２つのハーフ包装箱を使って、減容した蓋付きの格納箱を作るという発想に立脚しつつ、減容化した格納箱の蓋のし難さを改善することのできる減容可能な食品包装箱を提供することにある。
【００１１】
本発明の更なる目的は、消費者が優先的に必要とする情報の表示が、切り離したハーフ包装箱の夫々で完結する表示態様を設定することができる減容可能な食品包装箱を提供することにある。
【課題を解決するための手段】
【００１２】
上記の技術的課題は、本発明によれば、
２つに小分け可能な内容物を格納できる直方体の形状を有し且つ周方向に延びる弱化線を切断することにより減容可能な食品包装箱であって、
前記弱化線が前記食品包装箱の長手方向の中心線からオフセットされて、該弱化線で切断することにより形成される２つのハーフ包装箱のうち一方のハーフ包装箱が他方のハーフ包装箱よりも相対的に大きな長さ寸法を有し、
該一方のハーフ包装箱が減容包装箱本体として使用可能であり、
前記他方のハーフ包装箱が前記減容包装箱本体に対する蓋体として使用可能であり、
前記減容包装箱本体に一つの前記小分け可能な内容物を入れたときに、該減容包装箱本体の開口部分において前記内容物から突出する余裕代部分が、これを扁平に押し潰す潰し代として、その長さ寸法が設定され、
前記減容包装箱本体に前記蓋体を嵌装することで、一つの前記小分け可能な内容物を格納する減容包装箱として使用可能であることを特徴とする減容可能な食品包装箱を提供することにより達成される。
【００１３】
本発明によれば、一方のハーフ包装箱を減容包装箱本体として使用し、他方のハーフ包装箱を減容包装箱本体に対する蓋体として使用して減容包装箱を作ることから、全ての内容物が空になるまで全てのハーフ包装箱を有効活用することができる。したがって、全ての内容物が空になるまで食品包装箱に記載の表示を消費者が確認することができる。
【００１４】
また、減容包装箱本体の開口部分において前記内容物から突出する余裕代部分が、これを扁平に押し潰す潰し代として、その長さ寸法が設定されていることから、蓋体として使用するハーフ包装箱の長さ寸法は前記内容物の長さ寸法よりも僅かに小さいだけであり、したがって、この蓋体として使用するハーフ包装箱の部分を、消費者が優先的に必要とする情報を表示する領域として使用することができる。
【００１５】
本発明の他の目的及び作用効果は、後の本発明の実施例の詳しい説明から明らかになる。
【図面の簡単な説明】
【００１６】
【図１】包装箱の一部を切り欠いた斜視図である。
【図２】実施例の包装箱の展開図である。
【図３】裏面側から見た実施例の包装箱の斜視図である。
【図４】図１のIV−IV線に沿って切断した断面図である。
【図５】実施例の包装箱のベルトを取り去ることで形成される２つのハーフ包装箱のうち一方を減容包装箱本体として使用し、他方を蓋体として使用して減容包装箱を作ることを説明するための図である。
【図６】減容包装箱本体の中に一つのトレーブロックを収納し、そして、蓋体で蓋をしてトレーブロックを格納した状態を説明するための図である。
【発明を実施するための形態】
【実施例】
【００１７】
以下に、添付の図面に基づいて本発明の好ましい実施例を説明する。図１〜図６は実施例の減容可能な包装箱を示す。図１は包装箱の一部を切り欠いた斜視図である。図２は包装箱の展開図である。図３は裏面側から見た包装箱の斜視図である。図４は、図１のIV−IV線に沿って切断した断面図である。図５は、包装箱のベルトを取り去ることで形成される２つのハーフ包装箱のうち一方を減容包装箱本体として使用し、他方を蓋体として使用して減容包装箱を作ることを説明するための図である。図６は、減容包装箱本体の中にトレーブロックを収納し、そして、蓋体で蓋をした状態を説明するための図である。
【００１８】
図１、図３を参照して、実施例の包装箱１００はカレー又はシチューの固形ルウを収容したトレーの外装箱である。この包装箱１００は、これを開封すると、図５から最もよく分かるように、２つのハーフ包装箱が形成されるが、その一方を減容包装箱本体２として使用し、他方は蓋体４として使用される。この減容包装箱本体２と蓋体４は減容包装箱５（図６）を構成する。
【００１９】
図５を引き続き参照して、減容包装箱本体２の中には、固形ルウを収容したトレーブロック６が収納される。このトレーブロック６は、２つの等しい大きさのトレーブロック６を備えたトレー（図示せず）を２つに切り離すことにより作られる。すなわち、包装箱１００は、切り離し可能な２つのトレーブロック６を備えたトレーを収納するように設計されている。
【００２０】
減容包装箱本体２と蓋体４とを対比すると、減容包装箱本体２の方が長尺であり、蓋体４は短尺である。減容包装箱本体２はトレーブロック６よりも長い。すなわち、図５、図６を参照して、減容包装箱本体２にトレーブロック６を入れたときに、トレーブロック６の上端から上方に延びる余裕代部分８（図５）を有する。この余裕代部分８は、消費者の手で前後方向に押し潰すことのできる潰し代としてその長さ寸法が設定され、この減容包装箱本体２の上端部分を扁平にすることで蓋体４を嵌装し易くなる。
【００２１】
図１、図３を参照して、包装箱１００は、前面１００ａ、裏面１００ｂ、一側面１００ｃ、他側面１００ｄ、一端面１００ｅ、他端面１００ｆを有する直方体の形状を有する。包装箱１００は、一枚の紙を主体とした複合材料を組み立てることにより形作られる。包装箱１００の展開図である図２には、折り目１０によって区画された各部位に、包装箱１００の各部位１００ａ〜１００ｆの参照符号を付してある。図２の参照符号１２は側部糊代を示す。参照符号１４は端部糊代を示す。参照符号１６は側面折り代を示す。
【００２２】
図２に図示の展開した状態の包装箱１００は、包材メーカで側部糊代１２を接着する作業を行うのが通例である。包材メーカから食品製造メーカには、両端が開放した筒状の包装箱１００を扁平にした状態で納品される。
【００２３】
食品製造メーカでは、両端が開口した扁平状態の包装箱１００を広げ、そして、包装箱１００の一方の端部からトレーを挿入する。次いで、包装箱１００の両端を糊付けすることで箱詰めが完了する。
【００２４】
包装箱１００は、これを横断する方向に且つ全周に亘って延びるベルト２０を有し、このベルト２０は２本の互いに平行に延びる第１、第２の弱化線２２、２４によって規定される幅Ｗを有している。ベルト２０の始端２０ａは、展開図において前面１００ａと裏面１００ｂとの間の折り目１０、１０で挟まれた一側面１００ｃに位置している。すなわち、側部糊代１２が接着される他側面１００ｄ（図１）と対抗する位置にベルト始端２０ａが位置決めされている。このベルト始端２０ａは、折り目１０に隣接して且つ折り目１０と平行に延びる切れ目２８（図２）によって形成されている。
【００２５】
ベルト始端２０ａは折り目１０から内方にΔＬ、オフセットして位置決めされている点に注目して欲しい。このΔＬは、包装箱１００の材料つまり紙を主体とした複合材料の厚みに相当する寸法である。包装箱１００の折り目１０に隣接して、この折り目１０から内方にオフセット（ΔＬ）した位置に、切れ目２８（図２）によって形成されたベルト始端２０ａを配置することにより、消費者が手にする前段階で、このベルト始端２０ａに不用意に外力が加わってベルト始端２０ａが捲れ上がってしまうのを抑制することができる。
【００２６】
特に図２を参照して、包装箱１００を横断して全周に亘って延びるベルト２０の中心線ＢＣが、包装箱１００を長手方向に二分する中心線ＣＬからオフセットＯｆしている点に注目されたい。包装箱１００の中心線ＣＬは、包装箱１００に収納されるトレー（図示せず）の２つのトレーブロック６の境界線（切断線）に相当する。
【００２７】
引き続き図２を参照して、包装箱１００の一側面１００ｃ、他側面１００ｄには、ベルト２０を規定する第１、第２の２本の弱化線２２、２４のうち、包装箱１００の中心線ＣＬに近い側に位置する第１の弱化線２２から他端面１００ｆに向けて折り目誘導線３０が延びている。この折り目誘導線３０は、減容包装箱本体２の開口部をその前後方向に押し潰すときに谷折りの状態となる（図５）。この点については後に詳しく説明する。
【００２８】
包装箱１００は、これを消費者が開封するにはベルト２０をそのベルト始端２０ａから引っ張り上げて、ベルト２０を切り取ることにより行われる。これにより、包装箱１００は、比較的大きな減容包装箱本体２と比較的小さな蓋体４に変化する。包装箱１００を図示する図１、図３において、減容包装箱本体２に相当する部位に参照符号「２」を付記し、蓋体４に相当する部位に参照符号「４」を付記してある。
【００２９】
実施例の包装箱１００は、幅Ｗを備えたベルト２０を備え、このベルト２０は包装箱１００を開封した時点で廃棄される。消費者は、包装箱１００から取り出したトレーから必要量のルウピースを取り出して調理する。標準世帯では、一つのトレーブロック６に含まれるルウピースを１回の調理で使い切る。残ったトレーブロック６を保存するのに、次の手順に従って減容化した包装箱を作ることができる。
【００３０】
図５を参照して、包装箱１００の減容化の手順を説明する。先ず、残ったトレーブロック６を減容包装箱本体２に入れる。次に、減容包装箱本体２の上端開口部を押し潰す。減容包装箱本体２の左右の側面１００ｃ、１００ｄには、前述したように、その開口縁から下方に延びる折り目誘導線３０が形成されている。減容包装箱本体２の高さ寸法は、前述したようにトレーブロック６よりも大きい。減容包装箱本体２のトレーブロック６と干渉しない上端開口部（特に減容包装箱本体２の左右の側面１００ｃ、１００ｄの近傍）を図５に矢印で示すように押し潰す。
【００３１】
この操作によって、左右の側面１００ｃ、１００ｄは、折り目誘導線３０が谷折りの状態となって、減容包装箱本体２の上端開口部は扁平に押し潰した状態となる。次いで、蓋体４を減容包装箱本体２の上端開口部に嵌装する。減容包装箱本体２の上端開口部が潰れた状態になっているため、減容包装箱本体２の上端開口部に蓋体４を装着する作業は容易である。蓋体４で減容包装箱本体２の上端部を覆う減容化した状態を図６に示す。減容包装箱本体２に蓋体４を装着することで、減容包装箱本体２と蓋体４とで構成された減容包装箱５でトレーブロック６を格納することができる。
【００３２】
ところで、消費者が商品を購入するときの一般的な行動を観察すると、消費者は、主要な面である前面１００ａ、裏面１００ｂの表示を先ず確認する。そして、必要に応じてその他の面の表示を確認する。一般的な消費者が確認する事項の優先順序は次の通りである。
【００３３】
（１）商品のブランド名やキャッチフレーズ、商品のイメージ絵や写真。
（２）商品を使った調理方法や喫食の仕方。
（３）製造販売元。
（４）商品の特徴（例えば調理の手順）。
（５）商品の保存方法（例えば包装箱の減容化の手順）。
（６）賞味期限。
（７）商品の種別（カレールウであれば辛さのレベル）。
（８）商品の種別の一覧及びその説明（カレールウであれば「辛口」、「中辛」、「普通」、「甘口」の説明）。
（９）原材料表示。
（１０）アレルギー表示。
【００３４】
上記（９）及び（１０）は、原材料にこだわりのある消費者やアレルギー体質の消費者が注目する表示であり、これに注目する消費者は仮に比較的小さな文字であっても注意深く読む。
【００３５】
包装箱１００の主要な面である前面１００ａには、従来と同様に、商品のブランド名やキャッチフレーズ、商品のイメージ絵や写真が印刷されている。また、商品の種別（カレーの辛さの程度）も包装箱１００の前面１００ａに比較的目立つように印刷されている。
【００３６】
包装箱１００の他の主要な面である裏面１００ｂの表示に関し、ベルト２０を挟んで減容包装箱本体２の部分と蓋体４の部分とに分けて説明する。減容包装箱本体２の部分の記載について説明すると、この減容包装箱本体２の部分は、ベルト２０の近傍部分が上述した潰し代であり、この潰し代の分だけ一つのトレーブロック６よりも大きい。この減容包装箱本体２の部分には、ルウを使った調理の方法（手順）が好ましくはイラストで横並びに（包装箱１００の長手方向に）時系列で表示される。この表示部分を参照符号３２で示す（図３）
【００３７】
蓋体４の部分には、上述した包装箱１００の減容化の手順が好ましくはイラストで横並びに（包装箱１００の長手方向に）時系列で表示される。この表示部分を参照符号３４で示す（図３）。
【００３８】
包装箱１００の側面１００ｃ、１００ｄには、次の項目が表示される。先ず、一側面１００ｃについて説明すると、減容包装箱本体２の部分に原材料の表示３６が印刷される（図１、図３）。他方、蓋体４の部分にアレルギー表示３８が印刷されている（図１、図３）。
【００３９】
包装箱１００の他側面１００ｄには、商品の種別の一覧（カレールウであれば例えば「辛口」、「中辛」、「普通」、「甘口」の文字とその説明）が表示される。この表示部分を図２に参照符号４０で示す。
【００４０】
減容包装箱本体２の閉塞した端面を構成する包装箱１００の一端面１００ｆには賞味期限が印刷される。この表示部分を図２に参照符号４２で示す。
【００４１】
上述した実施例の包装箱１００によれば、２つのトレーブロック６に分割可能なトレーを格納する包装箱１００を開封した後で、この包装箱１００を減容化したハーフ包装箱として使うことができる。また、ベルト２０を取り去って、包装箱１００を開封しても、このベルト２０に干渉しない部分に表示されている調理方法や減容化した包装箱（減容包装箱５）の組立方法を参照することができる。減容包装箱５の組立方法の表示に関連して、減容包装箱本体２が、その上端開口部の潰し代（余裕代部分８）だけトレーブロック６よりも大きく、換言すれば、その分だけ蓋体４が小さいだけであることから、包装箱１００の主要な面である裏面１００ｂにおいて蓋体４の部分に、減容包装箱５の組立方法をイラストで時系列に横並びで表示できる。したがって、消費者は一見して理解できる。
【００４２】
勿論、包装箱１００の主要な面である裏面１００ｂにおいて減容包装箱本体２の部分は、調理方法をイラストで時系列に横並びで表示できる。
【００４３】
また、包装箱１００の折り目１０に隣接して、この折り目１０から内方にオフセット（ΔＬ）した位置に、切れ目２８（図２）によって形成されたベルト始端２０ａを配置することにより、消費者が手にする前段階で、このベルト始端２０ａに不用意に外力が加わってベルト始端２０ａが捲れ上がってしまうのを抑制することができる。
【００４４】
上記の実施例では、包装箱１００の開封手段として、幅Ｗを有するベルト２０を採用したが、これに代えて、一本の弱化線を採用してもよい。
【産業上の利用可能性】
【００４５】
本発明は食品の包装箱に適用できる。典型的には内容物としてカレーやシチューの固形ルウの外装に適用されるが、例えばお菓子を２つの小袋に入れた包装にも適用可能である。
【符号の説明】
【００４６】
１００  実施例の減容可能な食品包装箱
１００ａ  食品包装箱の前面
１００ｂ  食品包装箱の裏面
２  減容包装箱本体
４  蓋体
５  減容包装箱
６  トレーブロック
８  余裕代部分（潰し代）
１０  折り目
２０  ベルト
２０ａ  ベルトの始端
２２  第１の弱化線（ベルトを規定）
２４  第２の弱化線（ベルトを規定）
２８  ベルト始端を作るための切れ目
ＣＬ  包装箱の中心線
ＢＣ  ベルトの中心線
ΔＬ  折り目からのベルトのオフセット量
【図１】
2015071428.tif 000003
【図２】
2015071428.tif 000004
【図３】
2015071428.tif 000005
【図４】
2015071428.tif 000006
【図５】
2015071428.tif 000007
【図６】
2015071428.tif 000008